(57)【特許請求の範囲】
【請求項１】
機体（１１）の前部に枝葉などを切取る切取り刃（１３，１４）を設け、機体（１１）の後部に作業者が握るハンドル（１５）を設け、このハンドル（１５）の前部にスロットルレバー（３６）を非作業位置から作業位置までスイング可能に設け、このスロットルレバー（３６）を必要なときにスイング不可能にするスロットル固定レバー（３７）を前記ハンドル（１５）に設け、前記機体（１１）の中央に原動機（１２）を設け、この原動機（１２）で前記切取り刃（１３，１４）を駆動し、原動機（１２）の出力を前記スロットルレバー（３６）で調整する形式の動力作業機において、
前記ハンドル（１５）は、前記機体（１１）から延出した軸部（３２）に回転可能に取付けたものであり、前記ハンドル（１５）の回転操作を阻止するとともに、前記ハンドル（１５）の回転を可能にしたときには同時に前記スロットル固定レバー（３７）の作動を止めるレバー複合体（３８）を備え、
前記レバー複合体（３８）は、前記スロットル固定レバー（３７）と係合する上部レバー部（８１）と、前記軸部（３２）に嵌合する下部レバー部（８２）とが一体的に形成され、
前記スロットル固定レバー（３７）は、前記スロットルレバー（３６）をスイング可能にすると同時に、前記上部レバー部（８１）をロックするロック部（７９）を備え、
前記上部レバー部（８１）は、前記ハンドル（１５）の後部内側から突出させることで操作可能な操作部（８３）と、前記ハンドル（１５）に前記スロットル固定レバー（３７）を押し込んだときにロック部（７９）に嵌合させる嵌合部（８４）と、スロットル固定レバー（３７）の作動を止めるストッパ部（８５）と、を備えたことを特徴とする動力作業機。
【請求項２】
前記上部レバー部（８１）を、前記ハンドル（１５）の後部に設けるとともに、このハンドル（１５）とは別に、前記原動機（１２）の前方に非回転式且つ閉ループ状の固定ハンドル（２４）を設けたことを特徴とする請求項１記載の動力作業機。
【請求項３】
前記機体（１１）の軸部（３２）に複数の溝（５３）を設け、前記下部レバー部（８２）に突起（９２）を設け、この突起（９２）を前記軸部（３２）の溝（５３）に嵌合させることを特徴とする請求項１又は請求項２記載の動力作業機。
【発明の詳細な説明】
【技術分野】
【０００１】
本発明は、生垣の上面や側面を刈り込む時に刈り込み位置に応じてハンドルを回転させることで、作業性を向上させることができる動力作業機に関するものである。
【背景技術】
【０００２】
動力作業機として、機体にハンドルを回転自在に取付け、このハンドルに動力の出力を調整するスロットルレバーを設けるとともに、このスロットルレバーをロックすることのできるスロットル固定レバーを設けたものが実用に供されている。
実用の動力作業機は、スロットルレバーやスロットル固定レバーとは別に、機体にハンドルの回転を止める係止機構と、この係止機構を解除する操作レバー（係止解除レバー）を備えるようにすれば実用上十分であった。
【０００３】
このような動力作業機として、スロットルワイヤに連動させた係止機構を備えたものが知られている（例えば、特許文献１参照。）。
【特許文献１】特開平１１−２８６８３号公報（第１１頁、図４）
【０００４】
図１１は従来の基本構成を説明する図であり、動力作業機２００は、機体２０１に回転自在に取付けたハンドル２０２と、このハンドル２０２にスイング自在に取付けたスロットルレバー２０３と、このスロットルレバー２０３をロックするスロットル固定レバー２０４と、スロットルレバー２０３の作動にともなって機体２０１側にせり出さすことで、機体２０１に当接させてハンドル２０２の回転を止める係止部材２０５と、を設けたハンドル構造をもつ作業機である。
【０００５】
すなわち、スロットル固定レバー２０４をスロットルレバー２０３から矢印ｂ１の如く外し、このスロットルレバー２０３を矢印ｂ２の如く握ることで、係止部材２０５を矢印ｂ３の如くせり出させ、機体２０１側にハンドル２０２をロックする。
【０００６】
しかし、動力作業機２００では、機体２０１に対してハンドル２０２を所定の角度まで回転させ、このハンドル２０２を機体２０１側にロックさせるために、スロットル固定レバー２０４をスロットルレバー２０３から解除し、このスロットルレバー２０３を握り、機体２０１側に係止部材２０５を押圧してハンドル２０２をロックするものなので、ハンドル２０２の回転及び固定操作が煩雑になるという問題があった。
【０００７】
また、動力作業機２００では、スロットルレバー２０３からスロットル固定レバー２０４を解除すると同時にハンドル２０２の回転をロックできるものではないので、例えば、遠心クラッチなどの接続機能のタイミング次第ではハンドル２０２を機体２０１側にロックする前に切取り刃（不図示）が作動する不確実なところがあるという欠点があった。
【０００８】
すなわち、ハンドル回転操作をシンプルな（単純な）操作で行うことができ、例えば、ハンドル回転操作中はスロットルを操作できないようにするとともに、スロットルレバー操作中はハンドル回転操作ができないようにするなどの対策を施すことで、誤操作を未然に防ぐことができる動力作業機が望まれる。
【発明の開示】
【発明が解決しようとする課題】
【０００９】
本発明は、ハンドル回転操作が煩雑である点を解決し、ハンドル回転操作を簡単に行うことができるとともに、スロットルレバー操作やハンドル回転操作に不確実性を含む点を解決し、スロットルレバー操作やハンドル回転操作を確実に行うことのできる動力作業機を提供することを課題とする。
【課題を解決するための手段】
【００１０】
請求項１に係る発明は、機体の前部に枝葉などを切取る切取り刃を設け、機体の後部に作業者が握るハンドルを設け、このハンドルの前部にスロットルレバーを非作業位置から作業位置までスイング可能に設け、このスロットルレバーを必要なときにスイング不可能にするスロットル固定レバーをハンドルに設け、機体の中央に原動機を設け、この原動機で切取り刃を駆動し、原動機の出力をスロットルレバーで調整する形式の動力作業機において、ハンドルが、機体から延出した軸部に回転可能に取付けたものであり、ハンドルの回転操作を阻止するとともに、ハンドルの回転を可能にしたときには同時にスロットル固定レバーの作動を止めるレバー複合体を備え、レバー複合体は、スロットル固定レバーと係合する上部レバー部と、軸部に嵌合する下部レバー部とが一体的に形成され、スロットル固定レバーに、スロットルレバーをスイング可能にすると同時に、上部レバー部をロックするロック部を備え、上部レバー部に、ハンドルの後部内側から突出させることで操作可能な操作部と、ハンドルにスロットル固定レバーを押し込んだときにロック部に嵌合させる嵌合部と、スロットル固定レバーの作動を止めるストッパ部と、を備えたことを特徴とする。
【００１１】
すなわち、ハンドルを、機体から延出した軸部に回転可能に取付け、ハンドルの回転操作を阻止するとともに、ハンドルの回転を可能にしたときには同時にスロットル固定レバーの作動を止めるレバー複合体を備えた。
さらに、スロットル固定レバーに、スロットルレバーをスイング可能にすると同時に、上部レバー部をロックするロック部を備え、上部レバー部に、ハンドルの後部内側から突出させることで操作可能な操作部と、ハンドルにスロットル固定レバーを押し込んだときにロック部に嵌合させる嵌合部と、スロットル固定レバーの作動を止めるストッパ部と、を備えた。
【００１２】
ハンドルの回転操作を阻止するとともに、ハンドルの回転を可能にしたときには同時にスロットル固定レバーの作動を止めるレバー複合体を備えることで、ハンドルの回転操作中はスロットルレバーの操作を禁止するようにした。
スロットル固定レバーに、スロットルレバーをスイング不可能にすると同時に、上部レバー部をロックするロック部を備えることで、スロットルレバーの操作中は、ハンドルの回転操作を禁止するようにした。
上部レバー部に、ハンドルの後部内側から突出させることで操作可能な操作部と、ハンドルにスロットル固定レバーを押し込んだときにロック部に嵌合させる嵌合部と、スロットル固定レバーの作動を止めるストッパ部と、を備えることで、ハンドルの回転操作中はスロットル固定レバーを動かすことができないようにした。
【００１３】
請求項２に係る発明は、上部レバー部を、ハンドルの後部に設けるとともに、このハンドルとは別に、原動機の前方に非回転式且つ閉ループ状の固定ハンドルを設けたことを特徴とする。
上部レバー部を、ハンドルの後部に設けるとともに、このハンドルとは別に、原動機の前方に非回転式且つ閉ループ状の固定ハンドルを設けることで、例えば、ハンドルの後部を右手で支持し、固定ハンドルを左手で支持することで、動力作業機を持上げた状態でハンドルの回転操作をすることができる。
【００１５】
請求項３に係る発明は、機体の軸部に複数の溝を設け、下部レバー部に突起を設け、この突起を軸部の溝に嵌合させることを特徴とする。
機体の軸部に複数の溝を設け、下部レバー部に突起を設け、この突起を軸部の溝に嵌合させることで、機体にハンドルを複数の回転角度で係止することができる。
【発明の効果】
【００１６】
請求項１に係る発明では、ハンドルの回転操作を阻止するとともに、ハンドルの回転を可能にしたときには同時にスロットル固定レバーの作動を止めるレバー複合体を備えたので、ハンドルの回転操作中はスロットルレバーの操作を禁止することができる。この結果、ハンドル回転操作を確実に行うことができ、動力作業機の操作性の向上を図ることができるという利点がある。
スロットル固定レバーに、スロットルレバーをスイング不可能にすると同時に、上部レバー部をロックするロック部を備えたので、スロットルレバーの操作中は、ハンドルの回転操作を禁止することができる。この結果、スロットルレバー操作を確実に行うことができ、動力作業機の操作性の向上を図ることができるいう利点がある。
上部レバー部に、ハンドルの後部内側から突出させることで操作可能な操作部と、ハンドルにスロットル固定レバーを押し込んだときにロック部に嵌合させる嵌合部と、スロットル固定レバーの作動を止めるストッパ部と、を備えたので、ハンドルの回転操作中はスロットル固定レバーを動かすことができない。これにより、スロットルレバーの操作を阻止することができる。
【００１７】
請求項２に係る発明では、上部レバー部を、ハンドルの後部に設けるとともに、このハンドルとは別に、原動機の前方に非回転式且つ閉ループ状の固定ハンドルを設けたので、例えば、ハンドルの後部を右手で支持し、固定ハンドルを左手で支持したので、動力作業機を持上げた状態でハンドルの回転操作をすることができる。この結果、ハンドル回転操作を簡単に行うことができ、ハンドル回転操作の操作性を向上させることができるという利点がある。
【００１９】
請求項３に係る発明では、機体の軸部に複数の溝を設け、下部レバー部に突起を設け、この突起を軸部の溝に嵌合させたので、機体にハンドルを複数の回転角度で係止することができる。この結果、動力作業機の刈り込み作業の作業性の向上を図ることができるという利点がある。
【発明を実施するための最良の形態】
【００２０】
本発明を実施するための最良の形態を添付図に基づいて以下に説明する。なお、図面は符号の向きに見るものとする。
図１は本発明に係る動力作業機の斜視図であり、動力作業機１０は、エンジンなどの原動機（動力源）１２の回転を減速し、減速した回転を往復運動に変換し、この往復運動を上下の切取り刃（刈刃）１３，１４に伝達し、これらの上下の切取り刃１３，１４で生垣（hedge）の刈り込み作業を行う作業機であり、例えば、生垣の上面を刈り込む場合や生垣の側面を刈り込む場合における作業者の作業姿勢に応じてハンドル１５を回転できるようにしたものである。なお、動力作業機１０は、具体的には生垣などをトリミングするヘッジトリマ（hedge trimmer）である。
【００２１】
図２は本発明に係る動力作業機の側面図であり、動力作業機（ヘッジトリマ）１０は、機体１１に搭載した原動機１２と、この原動機１２に供給する燃料を貯留する燃料タンク１６と、この燃料タンク１６の給油口１７に被せるキャップ１８と、原動機１２を始動するリコイルスタータ用ノブ１９と、原動機１２廻りを囲う原動機カバー２１と、原動機１２の前面に設けることで刈り込み時に発生する切り枝若しくは葉などの飛び跳ねを防ぐプロテクタ２２と、機体１１の底に設けることで刈り込み時に生垣などに滑らせて作業を進めるためのカバー部材２３と、機体１１の後方に回転自在に設けることで作業時に機体１１を一方の手で支持するハンドル１５と、機体１１の前方に設けることで作業時に機体１１を他方の手で支持する非回転式且つ閉ループ状の固定ハンドル２４と、機体１１の前方に延出することで上下の切取り刃１３，１４を支持する支持フレーム２５と、この支持フレーム２５に前後スライド可能に取付けた上下の切取り刃１３，１４と、これらの切取り刃１３，１４を支持フレーム２５に取付ける取付けねじ２６・・・（・・・は複数個を示す。以下同じ）と、これらの取付けねじ２６・・・にねじ込むナット２７・・・を主要構成とする作業機である。
【００２２】
図３は本発明に係る動力作業機のハンドルの側面断面図であり、半割りにした左右のハンドル半割体３３，３４（図１参照）の内の右のハンドル半割体３４を外した状態を示す。
機体１１には、原動機１２の回転を減速する減速機能及び減速回転を往復運動に変換する変換機能を内蔵などをするケース体３１と、このケース体３１に設けることでハンドル１５を回転自在に取付ける軸部３２とを備える。
【００２３】
ハンドル１５は、半割りにした左右のハンドル半割体３３，３４（３４は不図示）を合わせることで組立てるハンドル本体３５と、このハンドル本体３５に回転自在に取付けることで原動機１２（図２参照）の出力を調整するスロットルレバー３６と、このスロットルレバー３６をロックするためにハンドル本体３５にスイング自在に取付けたスロットル固定レバー（スロットルロックレバー）３７と、このスロットル固定レバー３７を必要なときにロックするとともに機体１１の軸部３２にハンドル１５を所定の角度で係止するためにハンドル本体３５に前後スライド可能に取付けたレバー複合体３８と、原動機１２を始動可能状態若しくは停止状態にする始動スイッチ３９と、からなる。なお、スロットルレバー３６は、初期状態に戻すトーションばね４３を備え、スロットル固定レバー３７は、初期状態に戻すトーションばね４２を備える。
【００２４】
図４は本発明に係る動力作業機のハンドルの主な部品を示す分解斜視図である。
軸部３２は、ケース体３１に取付ける取付け部５１と、ハンドル本体３５を回転自在に支持する円筒部５２と、ハンドル本体３５を所定角度で係止するための溝５３・・・と、を備える。
【００２５】
左のハンドル半割体３３は、軸部３２に嵌合させる左嵌合部５４と、スロットルレバー３６を回転自在に取付けるスロットルレバー用ボス５５と、スロットル固定レバー３７を回転自在に取付ける固定レバー用ボス５６と、レバー複合体３８をスライド可能に取付ける上下の案内部５７，５８と、後述する左スプリング受けリブ５９と、を形成した。
右のハンドル半割体３４は、軸部３２に嵌合させる右嵌合部６４と、レバー複合体３８をスライド可能に取付ける上下の案内部６７，６８と、後述する右スプリング受けリブ６９と、を形成した。
【００２６】
スロットルレバー３６は、スロットルレバー用ボス５５に回転可能に嵌合させる軸孔７１と、スロットルワイヤ７２を支持する支持部７３と、スロットル固定レバー３７に当てる当て部７４と、スロットル固定レバー３７を逃がす逃げ部７５と、を備える。
スロットル固定レバー３７は、固定レバー用ボス５６に回転可能に嵌合させる孔７７と、スロットルレバー３６の当て部７４に当てる若しくは逃げ部７５に逃がす作用部７８と、レバー複合体３８をロックするロック部７９と、を備える。
【００２７】
レバー複合体３８は、操作レバー（係止解除レバー）としての上部レバー部８１と、この上部レバー部８１に一体的に形成した係止機構としての下部レバー部８２と、からなる。
上部レバー部８１は、ハンドル本体３５の後部内側から突出させることで操作可能な操作部８３と、ハンドル本体３５にスロットル固定レバー３７を押し込んだときにロック部７９に嵌合させる嵌合部８４と、スロットル固定レバー３７の作動を止めるストッパ部８５と、を形成した。
【００２８】
図５は本発明に係る動力作業機の係止機構の断面図であり、下部レバー部（係止機構）８２は、軸部３２の任意の溝５３・・・に嵌合させる突起９２と、この突起９２からハンドル１５後方に延出した延出部９３と、この延出部９３に形成したスプリング保持部９４と、このスプリング保持部９４に前端を支持させるとともに後端を左・右スプリング受けリブ５９，６９（図４参照）に支持させることでレバー複合体３８全体を復帰させる復帰ばね９５と、から構成した。
【００２９】
図６は図５の６−６線断面図であり、すなわち、下部レバー部（係止機構）８２は、スプリング保持部９４に復帰ばね９５を収納し、この復帰ばね９５の後端を左・右スプリング受けリブ５９，６９に支持させ、ハンドル１５（図２参照）前方に向けてレバー複合体３８を付勢したものである。
従って、図５に示すレバー複合体３８をハンドル１５後方に引くことで、軸部３２の任意の溝５３・・・から突起９２を外すことができ、機体１１（図２参照）からハンドル１５の回転を許容できる。また、レバー複合体３８を離すことで、ハンドル１５を所定回転させた位置に当面させた任意の溝５３・・・に突起９２を自動的に係止できる。
【００３０】
図７は本発明に係る動力作業機の要部拡大図であり、動力作業機１０は、機体１１の前部に枝葉などを切取る切取り刃１３，１４を設け、機体１１の後部に作業者が握るハンドル１５を設け、このハンドル１５の前部にスロットルレバー３６を非作業位置から作業位置までスイング可能に設け、このスロットルレバー３６を必要なときにスイング不可能にするスロットル固定レバー３７をハンドル１５に設け、機体１１の中央に原動機１２を設け、この原動機１２で切取り刃１３，１４を駆動し、原動機１２の出力をスロットルレバー３６で調整する形式の動力作業機において、ハンドル１５が、機体１１から延出した軸部３２に回転可能に取付けたものであり、この回転を止める下部レバー部（係止機構）８２をハンドル１５に設け、下部レバー部（係止機構）８２を解除してハンドル１５の回転を可能にするとともに、下部レバー部（係止機構）８２の解除と同時にスロットル固定レバー３７をロックする上部レバー部（操作レバー）８１をハンドル１５に設けたものと言える。
【００３１】
例えば、ハンドル回転操作を簡単に行うことができるとすれば、ハンドル操作の作業性を向上できるので好ましいことであり、スロットルレバー操作やハンドル回転操作を確実に行うことができるようにすることは、誤操作の防止に役立つので好ましいことである。
【００３２】
すなわち、下部レバー部（係止機構）８２を解除してハンドル１５の回転を可能にするとともに、下部レバー部（係止機構）８２の解除と同時にスロットル固定レバー３７をロックする上部レバー部（操作レバー）８１をハンドル１５に設けることで、ハンドル１５の回転操作中はスロットルレバー３６の操作を禁止するようにした。この結果、ハンドル１５回転操作を確実に行うことができ、動力作業機１０の操作性の向上を図ることができる。
【００３３】
また、動力作業機１０は、上部レバー部（操作レバー）８１を、ハンドル１５の後部に設けるとともに、このハンドル１５とは別に、原動機１２の前方に非回転式且つ閉ループ状の固定ハンドル２４を設けたものとも言える。
上部レバー部（操作レバー）８１の操作部８３を、ハンドル１５の後部で操作可能に設けるとともに、このハンドル１５とは別に、原動機１２の前方に非回転式且つ閉ループ状の固定ハンドル２４を設けることで、例えば、ハンドル１５の後部を右手で支持し、固定ハンドル２４を左手で支持することで、動力作業機１０を持上げた状態でハンドル１５の回転操作をすることができる。この結果、ハンドル１５回転操作を簡単に行うことができ、ハンドル１５回転操作の操作性を向上させることができる。
【００３４】
動力作業機１０は、スロットル固定レバー３７に、スロットルレバー３６をスイング可能にすると同時に、上部レバー部（操作レバー）８１をロックするロック部７９を備えたことを示す。
スロットル固定レバー３７に、スロットルレバー３６をスイング可能にすると同時に、上部レバー部（操作レバー）８１をロックするロック部７９を備えることで、スロットルレバー３６の操作中は、ハンドル１５の回転操作を禁止するようにした。この結果、スロットルレバー３６操作を確実に行うことができ、動力作業機１０の操作性の向上を図ることができる。
【００３５】
動力作業機１０は、機体１１の軸部３２に複数の溝５３・・・を設け、下部レバー部（係止機構）８２に突起９２を設け、この突起９２を軸部３２の溝５３に嵌合させるものでもあるとも言える。
機体１１の軸部３２に複数の溝５３・・・を設け、下部レバー部（係止機構）８２に突起９２を設け、この突起９２を軸部３２の溝５３に嵌合させることで、機体１１にハンドル１５を複数の回転角度で係止することができる。この結果、動力作業機１０の刈り込み作業の作業性の向上を図ることができる。
【００３６】
以上に述べた動力作業機の作用を説明する。
図８（ａ），（ｂ）は本発明に係る動力作業機のハンドル係止状態及びレバー複合体のロック状態を示す作用説明図である。
（ａ）において、スロットルレバー３６の当て部７４にスロットル固定レバー３７の作用部７８を当てた状態にしたので、スロットルレバー３６を矢印ａ１の如く引くことを防止できる。
【００３７】
（ｂ）において、スロットル固定レバー３７を矢印ａ２の如く押し込むことで、作用部７８を当て部７４から逃がすとともに、ロック部７９を上部レバー部（操作レバー）８１の嵌合部８４に嵌合させる。
すなわち、スロットルレバー３６を作動可能状態にするとともにレバー複合体３８をロック状態にする。これにより、スロットルレバー３６操作中はハンドル１５の回転操作を阻止することができる。
【００３８】
図９（ａ），（ｂ）は本発明に係る動力作業機のスロットルレバー作動状態及びハンドル回転状態を示す作用説明図である。
（ａ）において、スロットルレバー３６を矢印ａ３の如く引くことで、スロットル固定レバー３７の作用部７８をスロットルレバー３６の逃げ部７５に逃がし、図１に示す上下の切取り刃１３，１４を作動させ刈り込み作業を行うことができる。
【００３９】
（ｂ）において、図８（ａ）に示すスロットルレバー３６、スロットル固定レバー３７及びレバー複合体３８の状態から、ハンドル１５後部及び上部レバー部８１の操作部８３を一括して握ることで、レバー複合体３８を矢印ａ４の如く引き復帰ばね９５を撓ませて溝５３から突起９２を外してハンドル１５の回転を可能にすると同時に、上部レバー部８１のストッパ部８５でスロットル固定レバー３７のロック部７９を受け止めてスロットル固定レバー３７の作動を止める。これにより、ハンドル１５の回転操作中はスロットル固定レバー３７を動かすことができないので、スロットルレバー３６操作を阻止することができる。
【００４０】
この状態で、ハンドル１５を回転させて所定の溝５３に突起９２を臨ませ、操作部８３から握った手を離し、撓ませた復帰ばね９５の復帰作用（弾発作用）で突起９２を所定の溝５３に嵌合させることができる。
【００４１】
図１０（ａ）〜（ｃ）は本発明に係る動力作業機のハンドルのセット位置の態様を示す作用説明図である。
（ａ）において、ハンドル１５を左へ９０度回転させたときの動力作業機１０の状態であり、例えば、生垣などの側面下方をトリミングする場合に好都合な設定である。
（ｂ）において、ハンドル１５を正規の位置にセットした動力作業機１０の状態であり、例えば、生垣などの上面をトリミングする場合に好都合な設定である。
（ｃ）において、ハンドル１５を右へ９０度回転させたときの動力作業機１０の状態であり、例えば、生垣などの側面上方をトリミングする場合に好都合な設定である。
【００４２】
尚、本発明に係る動力作業機は、図２に示すように、上下の切取り刃１３，１４を駆動するように説明したが、これに限るものではなく、上下の切取り刃の一方を往復運動をするようにしたものであってもよい。
【００４３】
本発明に係る動力作業機は、図１に示すように、上下の切取り刃１３，１４は左右に刈取り機能を有する両刃であってが、これに限るものではなく、上下の切取り刃は一方に刈取り機能を備える片刃であってもよい。
【００４４】
本発明に係る動力作業機は、図４に示すように、左のハンドル半割体３３にスロットルレバー用ボス５５及び固定レバー用ボス５６を設けたが、これに限るものではなく、右のハンドル半割体にスロットルレバー用ボス及び固定レバー用ボスを設けたものでもよく、左右のハンドル半割体の双方にスロットルレバー用ボス及び固定レバー用ボスを設けたものであってもよい。
【００４５】
本発明に係る動力作業機は、図３に示すように、操作レバー（上部レバー部）８１及び係止機構（下部レバー部）８２をレバー複合体３８として一体的に形成したが、これに限るものではなく、操作レバー（上部レバー部）及び係止機構（下部レバー部）を別体で形成し、これらの操作レバー及び係止機構をピン結合したものであってもよい。
【産業上の利用可能性】
【００４６】
本発明に係る動力作業機は、生垣などの手入れに使用するヘッジトリマに採用するのに好適である。
【図面の簡単な説明】
【００４７】
【図１】本発明に係る動力作業機の斜視図である。
【図２】本発明に係る動力作業機の側面図である。
【図３】本発明に係る動力作業機のハンドルの側面断面図である。
【図４】本発明に係る動力作業機のハンドルの主な部品を示す分解斜視図である。
【図５】本発明に係る動力作業機の係止機構の断面図である。
【図６】図５の６−６線断面図である。
【図７】本発明に係る動力作業機の要部拡大図である。
【図８】本発明に係る動力作業機のハンドル係止状態及びレバー複合体のロック状態を示す作用説明図である。
【図９】本発明に係る動力作業機のスロットルレバー作動状態及びハンドル回転状態を示す作用説明図である。
【図１０】本発明に係る動力作業機のハンドルのセット位置の態様を示す作用説明図である。
【図１１】従来の基本構成を説明する図である。
【符号の説明】
【００４８】
１０…動力作業機、１１…機体、１２…原動機、１３，１４…上下の切取り刃、１５…ハンドル、２４…固定ハンドル、３２…軸部、３６…スロットルレバー、３７…スロットル固定レバー、５３…溝、８１…操作レバー（上部レバー部）、８２…係止機構（下部レバー部）、９２…突起。
【図１】
0004615850.tif 000002
【図２】
0004615850.tif 000003
【図３】
0004615850.tif 000004
【図４】
0004615850.tif 000005
【図５】
0004615850.tif 000006
【図６】
0004615850.tif 000007
【図７】
0004615850.tif 000008
【図８】
0004615850.tif 000009
【図９】
0004615850.tif 000010
【図１０】
0004615850.tif 000011
【図１１】
0004615850.tif 000012